(57)【要約】      （修正有）【課題】偏摩耗を抑制し、排水性、雪上性、操縦安定性、駆動性、制動性に優れた空気入りタイヤ。【解決手段】タイヤ赤道Ｃを中心とした１対の周方向溝２、そのタイヤ幅方向外側に順次位置する第１縦溝１１，１１’、第２縦溝１２，１２’と周方向溝２からトレッド端ＴＥへ連続して延びる複数本の横溝４Ｌ，４Ｒによって区画されたリブ状の中央陸部列ＣＬ、第１中間ブロック２１、第２中間ブロック２２を備え、第１縦溝のタイヤ周方向一方側の開口１１ａ，１１ａ’と周方向他方側の開口１１ｂ，１１ｂ’の位置および第２縦溝のタイヤ周方向一方側の開口１２ａ，１２ａ’と周方向他方側の開口１２ｂ，１２ｂ’の位置がそれぞれタイヤ幅方向にずれて配置され、隣接する第１中間ブロックと第２中間ブロックのタイヤ周方向一方側の端部間の周方向距離Ｄ１が、第１中間ブロック１Ｌの周方向長さＤ２の１／２以下である空気入りタイヤ。【選択図】図１
2014113875.tif 000002
【特許請求の範囲】
【請求項１】
タイヤ赤道を中心とした１対の周方向溝と、
前記１対の周方向溝によって区画形成されたリブ状の中央陸部列とトレッド端との間でタイヤ幅方向に連続して延びる複数本の横溝と、
をトレッド踏面に備える空気入りタイヤであって、
前記横溝と、前記周方向溝と、前記周方向溝よりもタイヤ幅方向外側に位置してタイヤ周方向に隣接する横溝間でタイヤ周方向に延びる第１縦溝とによって区画形成される第１中間ブロックよりなる第１中間陸部列と、
前記横溝と、前記第１縦溝と、前記第１縦溝よりもタイヤ幅方向外側に位置してタイヤ周方向に隣接する横溝間でタイヤ周方向に延びる第２縦溝とによって区画形成される第２中間ブロックよりなる第２中間陸部列と、
を備え、
前記第１縦溝のタイヤ周方向一方側の開口は、当該第１縦溝のタイヤ周方向一方側に位置する他の第１縦溝のタイヤ周方向他方側の開口とは位置がタイヤ幅方向にずれて配置されており、
前記第２縦溝のタイヤ周方向一方側の開口は、当該第２縦溝のタイヤ周方向一方側に位置する他の第２縦溝のタイヤ周方向他方側の開口とは位置がタイヤ幅方向にずれて配置されており、
前記第１中間ブロックのタイヤ周方向一方側の端部から、当該第１中間ブロックのタイヤ幅方向外側に隣接して位置する前記第２中間ブロックのタイヤ周方向一方側の端部までのタイヤ周方向に沿う距離が、前記第１中間ブロックのタイヤ周方向長さの１／２以下である
ことを特徴とする空気入りタイヤ。
【請求項２】
前記第１縦溝の深さは、前記横溝の深さよりも浅いことを特徴とする請求項１に記載の空気入りタイヤ。
【請求項３】
前記周方向溝は、タイヤ周方向に屈曲して延在することを特徴とする、請求項１または２に記載の空気入りタイヤ。
【請求項４】
前記横溝と、前記第２縦溝と、前記トレッドの端とによって区画形成された外側ブロックよりなる外側陸部列を備え、
ブロックのタイヤ幅方向の寸法が、前記第１中間ブロック、前記第２中間ブロック、前記外側ブロックの順で大きくなっており、
ブロックのタイヤ周方向の寸法が、前記第１中間ブロック、前記第２中間ブロック、前記外側ブロックの順で小さくなっていることを特徴とする、請求項１〜３のいずれか１項に記載の空気入りタイヤ。
【請求項５】
溝のタイヤ幅方向の寸法が、前記第１縦溝、前記第２縦溝の順で大きくなっていることを特徴とする、請求項１〜４のいずれか１項に記載の空気入りタイヤ。
【請求項６】
横溝の配設ピッチが一定であり、タイヤ赤道のタイヤ幅方向一方側に位置する横溝の配設位置と、タイヤ赤道のタイヤ幅方向他方側に位置する横溝の配設位置とがタイヤ周方向にずれていることを特徴とする、請求項１〜５のいずれか１項に記載の空気入りタイヤ。
【発明の詳細な説明】
【技術分野】
【０００１】
本発明は、空気入りタイヤに関し、特には冬用タイヤとして好適に用いることができる空気入りタイヤに関する。
【背景技術】
【０００２】
従来、積雪路や凍結路において使用される空気入りタイヤとして、タイヤ赤道上に位置するリブ状の陸部と、タイヤ赤道を挟んで配設された３対のブロック陸部列とを有し、リブ状の陸部およびブロック陸部に多数のサイプを形成した空気入りタイヤが提案されている（例えば、特許文献１参照）。
【先行技術文献】
【特許文献】
【０００３】
【特許文献１】特許第４３９７９５６号公報
【発明の概要】
【発明が解決しようとする課題】
【０００４】
しかしながら、特許文献１に記載の空気入りタイヤでは、タイヤ幅方向に互いに隣接する第１ブロック陸部と第２ブロック陸部との長さが大幅に異なるため、タイヤ転動時に、第１ブロック陸部のエッジ部分が接地面から離反するタイミングと、第２ブロック陸部のエッジ部分が接地面から離反するタイミングとが異なる。従って、この空気入りタイヤでは、タイヤ転動時に第１ブロック陸部に、第２ブロック陸部が引っ張られて変形しやすく、十分な接地面積が確保できずに駆動性能や制動性能が低下すると共に、偏摩耗が生じる可能性があった。また、この空気入りタイヤでは、第１ブロック陸部の長さが長いため、タイヤ赤道側からトレッド端まで延びる横溝を配設できる位置が限られており、雪上性能や、湿潤路面走行時の排水性能を十分に向上させることができなかった。
【０００５】
そこで、本発明の目的は、偏摩耗の発生を抑制することができ、且つ、優れた排水性能、雪上性能、駆動性能及び制動性能を有する空気入りタイヤを提供することにある。
【課題を解決するための手段】
【０００６】
即ち、本発明の空気入りタイヤは、タイヤ赤道を中心とした１対の周方向溝と、前記１対の周方向溝によって区画形成されたリブ状の中央陸部列とトレッド端との間でタイヤ幅方向に連続して延びる複数本の横溝と、をトレッド踏面に備える空気入りタイヤであって、前記横溝と、前記周方向溝と、前記周方向溝よりもタイヤ幅方向外側に位置してタイヤ周方向に隣接する横溝間でタイヤ周方向に延びる第１縦溝とによって区画形成される第１中間ブロックよりなる第１中間陸部列と、前記横溝と、前記第１縦溝と、前記第１縦溝よりもタイヤ幅方向外側に位置してタイヤ周方向に隣接する横溝間でタイヤ周方向に延びる第２縦溝とによって区画形成される第２中間ブロックよりなる第２中間陸部列と、を備え、前記第１縦溝のタイヤ周方向一方側の開口は、当該第１縦溝のタイヤ周方向一方側に位置する他の第１縦溝のタイヤ周方向他方側の開口とは位置がタイヤ幅方向にずれて配置されており、前記第２縦溝のタイヤ周方向一方側の開口は、当該第２縦溝のタイヤ周方向一方側に位置する他の第２縦溝のタイヤ周方向他方側の開口とは位置がタイヤ幅方向にずれて配置されており、前記第１中間ブロックのタイヤ周方向一方側の端部から、当該第１中間ブロックのタイヤ幅方向外側に隣接して位置する前記第２中間ブロックのタイヤ周方向一方側の端部までのタイヤ周方向に沿う距離が、前記第１中間ブロックのタイヤ周方向長さの１／２以下であることを特徴とする。この空気入りタイヤは、中央陸部列とトレッド端との間でタイヤ幅方向に連続して延びる複数本の横溝を有しているので、排水性能および雪上性能に優れている。そして、第１縦溝の開口同士及び第２縦溝の開口同士は、それぞれ位置がタイヤ幅方向にずれて配置されているので、開口がタイヤ周方向に対向配置されている場合と比較し、積雪路走行時に縦溝内にも雪柱を良好に形成して、雪上性能を向上させることができる。また、第２中間ブロックのタイヤ周方向一方側の端部が所定の範囲内に位置するため、第１中間ブロックと第２中間ブロックの路面から離反する時間差が短くなり、第１中間ブロックと第２中間ブロックとが別々に動くことを抑制することができる。よって、タイヤ転動時に第２中間ブロックが第１中間ブロックに引っ張られるのを抑制して接地面積を確保することができる。従って、偏摩耗の発生を抑制することができると共に、駆動性能及び制動性能も向上させることができる。
ここで、「ブロックのタイヤ周方向長さ」とは、ブロックの、タイヤ周方向一方側の端部から、タイヤ周方向他方側の端部までのタイヤ周方向に沿う距離をいう。
【０００７】
本発明の空気入りタイヤは、第１縦溝の深さが、横溝の深さよりも浅いことが好ましい。
【０００８】
なお、周方向溝は、タイヤ周方向に屈曲して延在することが好ましい。
【０００９】
また、本発明に係る空気入りタイヤは、横溝と、第２縦溝と、トレッドの端とによって区画形成された外側ブロックよりなる外側陸部列を備え、ブロックのタイヤ幅方向の寸法が、第１中間ブロック、第２中間ブロック、外側ブロックの順で大きくなっており、ブロックのタイヤ周方向の寸法が、第１中間ブロック、第２中間ブロック、外側ブロックの順で小さくなっていることが好ましい。
なお、「ブロックのタイヤ幅方向の寸法」とは、ブロックの、タイヤ幅方向一方側の端部から、タイヤ幅方向他方側の端部までのタイヤ幅方向に沿う距離をいい、「ブロックのタイヤ周方向の寸法」とは、ブロックの、タイヤ周方向一方側の端部から、タイヤ周方向他方側の端部までのタイヤ周方向に沿う距離をいう。
【００１０】
また、溝のタイヤ幅方向の寸法は、第１縦溝、第２縦溝の順で大きくなっていることが好ましい。
【００１１】
本発明に係る空気入りタイヤは、横溝の配設ピッチが一定であり、タイヤ赤道のタイヤ幅方向一方側に位置する横溝の配設位置と、タイヤ赤道のタイヤ幅方向他方側に位置する横溝の配設位置とがタイヤ周方向にずれていることが好ましい。
【発明の効果】
【００１２】
本発明によれば、偏摩耗の発生を抑制することができ、且つ、優れた排水性能、雪上性能、駆動性能及び制動性能を有する空気入りタイヤを提供することができる。
【図面の簡単な説明】
【００１３】
【図１】本発明に従う空気入りタイヤの一例のトレッドの一部を示す平面図である。
【図２】図１に示す空気入りタイヤのＩＩ−ＩＩ線でのタイヤ幅方向断面図である。
【発明を実施するための形態】
【００１４】
以下、図面を参照しながら本発明の空気入りタイヤについて詳細に説明する。
図１に示すように、本発明の一例に係る空気入りタイヤ１は、トレッドの踏面に、タイヤ赤道Ｃを中心とした１対の周方向溝２と、１対の周方向溝２によって区画形成されたリブ状の中央陸部列ＣＬとトレッド端ＴＥとの間でタイヤ幅方向に連続して延びる複数本の横溝４とが設けられている。
【００１５】
そして、中央陸部列ＣＬのタイヤ幅方向外側には、横溝４と、周方向溝２と、周方向溝２よりもタイヤ幅方向外側に位置してタイヤ周方向に隣接する横溝４間でタイヤ周方向に延びる第１縦溝１１とによって区画形成される第１中間ブロック２１よりなる１対の第１中間陸部列１Ｌが設けられている。更に、第１中間陸部列１Ｌのタイヤ幅方向外側には、横溝４と、第１縦溝１１と、第１縦溝１１よりもタイヤ幅方向外側に位置してタイヤ周方向に隣接する横溝４間でタイヤ周方向に延びる第２縦溝１２とによって区画形成される第２中間ブロック２２よりなる１対の第２中間陸部列２Ｌが設けられている。また、第２中間陸部列２Ｌのタイヤ幅方向外側には、横溝４と、第２縦溝１２と、トレッド端ＴＥとによって区画形成された外側ブロック２３よりなる外側陸部列ＥＬが設けられている。
ここで、中央陸部列ＣＬ、第１中間ブロック２１、第２中間ブロック２２及び外側ブロック２３には、複数のサイプＳが設けられている。なお、サイプＳの形状は特に限定されることはなく、例えば、サイプＳは、所謂三次元サイプであってもよいし、二次元サイプであってもよい。また、サイプＳの延在方向も特に限定されることはないが、図１に示すように、中央陸部列ＣＬ、第１中間ブロック２１、第２中間ブロック２２及び外側ブロック２３に、タイヤ幅方向のサイプＳを複数設けて、タイヤ幅方向のエッジ成分を増加させるか、又は、タイヤ周方向のサイプＳを複数設けて、タイヤ周方向のエッジ成分を増加させて、積雪路上における所望の方向の引っ掻き効果を増加させ、雪上性能を向上させてもよい。
なお、この空気入りタイヤ１は、回転方向が指定されたタイヤであり、正転時（前進時）に図１では下側に向かって回転するように車両に取り付けられて用いられる。
【００１６】
ここで、各横溝４は、図１に示すように、タイヤ幅方向に対して傾斜して延在している。そして、横溝４は、タイヤ周方向他方側Ｂに向かって凸の曲線を描いて延在しており、横溝４のタイヤ幅方向に対する傾斜角度は、トレッド端側で小さくなっている。また、タイヤ赤道Ｃのタイヤ幅方向一方側（図１では左側）に位置する横溝４Ｌと、タイヤ赤道のタイヤ幅方向他方側（図１では右側）に位置する横溝４Ｒとは、それぞれ一定の配設ピッチでタイヤ周方向に平行に配設されており、タイヤ幅方向一方側に位置する横溝４Ｌの配設位置と、タイヤ幅方向他方側に位置する横溝４Ｒの配設位置とは、タイヤ周方向に半ピッチずれている。なお、横溝４の溝幅は、トレッド端側に向かって増加している。
【００１７】
一対の周方向溝２は、タイヤ幅方向の振幅を伴って屈曲し、タイヤ周方向に向かって延びている。具体的には、図１に示すように、周方向溝２は、タイヤ周方向に隣接する２本の横溝４の間に、タイヤ幅方向内側に向かって凸の屈曲部を有する、ジグザグ状の形状を有している。
【００１８】
第１縦溝１１は、タイヤ周方向に対してトレッド端側に向かって傾斜している。そして、第１縦溝１１のタイヤ周方向一方側Ａの開口１１ａは、第１縦溝１１のタイヤ周方向一方側Ａに位置する他の第１縦溝１１’のタイヤ周方向他方側Ｂの開口１１ｂ’とは位置がタイヤ幅方向にずれて配置されている。
また、第２縦溝１２は、タイヤ周方向に対してトレッド端側に向かって傾斜しており、第１縦溝１１と略平行に設けられている。そして、第２縦溝１２のタイヤ周方向一方側Ａの開口１２ａも、第２縦溝１２のタイヤ周方向一方側Ａに位置する他の第２縦溝１２’のタイヤ周方向他方側Ｂの開口１２ｂ’とは位置がタイヤ幅方向にずれて配置されている。
具体的には、第１縦溝１１のタイヤ周方向一方側Ａの開口１１ａは、第１縦溝１１のタイヤ周方向一方側Ａに位置する他の第１縦溝１１’のタイヤ周方向他方側Ｂの開口１１ｂ’とは同一のタイヤ周方向の線上に位置せず、第２縦溝１２のタイヤ周方向一方側Ａの開口１２ａも、第２縦溝１２のタイヤ周方向一方側Ａに位置する他の第２縦溝１２’のタイヤ周方向他方側Ｂの開口１２ｂ’とは同一のタイヤ周方向の線上に位置しない。なお、第１縦溝について、タイヤ周方向一方側Ａの開口１１ａ，１１ａ’は同一のタイヤ周方向線上に位置し、タイヤ周方向他方側Ｂの開口１１ｂ，１１ｂ’も同一のタイヤ周方向線上に位置する。同様に、第２縦溝についても、タイヤ周方向一方側Ａの開口１２ａ，１２ａ’は同一のタイヤ周方向線上に位置し、タイヤ周方向他方側Ｂの開口１２ｂ，１２ｂ’も同一のタイヤ周方向線上に位置する。
【００１９】
図２の、空気入りタイヤ１のＩＩ−ＩＩ線に沿うタイヤ幅方向断面図に示す通り、第１縦溝１１及び第２縦溝１２の深さは、横溝４の深さや周方向溝２の深さよりも浅くなっている。そして、第２縦溝１２、第１縦溝１１、周方向溝２の溝の深さは、タイヤ幅方向内側に位置する溝ほど、即ち第２縦溝１２、第１縦溝１１、周方向溝２の順で深くなっている。また、第１縦溝１１及び第２縦溝１２の幅は、タイヤ幅方向外側に位置する溝ほど、即ち第１縦溝１１、第２縦溝１２の順で大きくなっている。
【００２０】
また、図１に示すように、空気入りタイヤ１では、第１中間ブロック２１のタイヤ周方向一方側Ａの端部から、第１中間ブロック２１のタイヤ幅方向外側に隣接して位置する第２中間ブロック２２のタイヤ周方向一方側Ａの端部までのタイヤ周方向に沿う距離Ｄ１が、前記第１中間ブロックのタイヤ周方向長さＤ２の１／２以下となっている。
【００２１】
更に、図１に示すように、第１中間ブロック２１、第２中間ブロック２２及び外側ブロック２３は、平面視略平行四辺形状をしている。そして、第１中間ブロック２１、第２中間ブロック２２および外側ブロック２３のタイヤ幅方向の寸法は、タイヤ幅方向外側に位置するブロックほど、即ち第１中間ブロック２１、第２中間ブロック２２、外側ブロック２３の順で大きくなっている。また、第１中間ブロック２１、第２中間ブロック２２および外側ブロック２３のタイヤ周方向の寸法は、タイヤ幅方向外側に位置するブロックほど、即ち第１中間ブロック２１、第２中間ブロック２２、外側ブロック２３の順に小さくなっている。
【００２２】
ここで、この空気入りタイヤ１では、上述したように、タイヤトレッド踏面の中心領域にリブ状の中央陸部列ＣＬを備えることにより、特に乾燥路面において、優れた操縦安定性能を発揮する。
【００２３】
また、中央陸部列ＣＬからトレッド端ＴＥまでタイヤ幅方向に連続して延びる横溝４を備えることにより、湿潤路面走行時に横溝４内の水を効率的にトレッド端ＴＥに流すことができるため、優れた排水性能を発揮する。更に、横溝４により区画される第１中間ブロック２１、第２中間ブロック２２および外側ブロック２３のエッジにより路面の引っ掻き効果を確保し、且つ、横溝４内全体で雪柱を形成することができるので、優れた雪上性能を発揮することができる。
なお、横溝４のタイヤ幅方向に対する傾斜角度はトレッド端側で小さく、横溝４の溝幅はトレッド端側に向かって増加している。従って、この空気入りタイヤ１では、横溝４の傾斜角度の小さいトレッド端側において、幅広い横溝中に雪柱を形成することができるので、雪上性能を十分に向上させることができる。
また、横溝４の配設ピッチは一定であるが、タイヤ赤道Ｃのタイヤ幅方向一方側に位置する横溝４Ｌの配設位置と、タイヤ幅方向他方側に位置する横溝４Ｒの配設位置とが、タイヤ周方向にずれているため、横溝４Ｒ,４Ｌの配設位置がずれていない場合と比較して、タイヤ転動時のパターンノイズを減少させ、騒音性能を向上させることができる。
【００２４】
更に、この一例の空気入りタイヤ１では、一対の周方向溝２は、タイヤ幅方向の振幅を伴って屈曲して延在しているため、タイヤ周方向及びタイヤ幅方向双方のエッジ成分を確保して、タイヤの雪上性能を更に向上させることができる。
【００２５】
また、第１縦溝１１及び第２縦溝１２の開口は、それぞれ、タイヤ幅方向にずれて配置されているため、タイヤ周方向に隣接する第１縦溝１１同士および第２縦溝１２同士の間でタイヤ周方向に延在する直線状の周方向溝が形成されない。そのため、積雪路走行時に第１縦溝１１及び第２縦溝１２内で、雪を踏み固めて雪柱を良好に形成し、雪柱せん断力を向上させ、雪上性能を向上させることができる。さらに、第１縦溝１１及び第２縦溝１２が周方向に対して傾斜することにより、第１及び第２中間ブロックのエッジ効果を向上させることができる。
【００２６】
ここで、空気入りタイヤ１では、タイヤ転動時に、第１中間ブロックのエッジと第２中間ブロックのエッジとで路面から離反するタイミングが異なる。しかし、空気入りタイヤ１では、第１中間ブロック２１のタイヤ周方向一方側Ａの端部から、第２中間ブロック２２のタイヤ周方向一方側Ａの端部までのタイヤ周方向に沿う距離Ｄ１が、前記第１中間ブロックのタイヤ周方向長さＤ２の１／２以下であるため、タイヤ転動時に第１中間ブロックと第２中間ブロックの路面から離反する時間差が短くなり、第１中間ブロックと第２中間ブロックとが別々に動くことを抑制することができる。よって、タイヤ転動時に第２中間ブロックが第１中間ブロックに引っ張られるのを抑制して接地面積を確保することができる。従って、偏摩耗の発生を抑制することができると共に、駆動性能及び制動性能も向上させることができる。
ここで、Ｄ１は、Ｄ２の１／６以上１／２以下であることが好ましい。第１中間ブロック２１と第２中間ブロック２２とをこのような配置とすることによって、第１中間ブロック２１と第２中間ブロック２２とが適度に周方向にずれて位置するため、第１及び第２中間ブロック２１，２２を区画形成する横溝４がタイヤ幅方向に対して適度に傾斜して延びることとなり、横溝４内でショルダー部に向かって水を流しやすくし、排水性能を確保することができる。また、Ｄ１が上記範囲内にあることによって、第１中間ブロック２１と第２中間ブロック２２とが適度に傾斜し、湿潤路面における制動性能が向上する。そして、第２中間ブロックが第１中間ブロックに引っ張られるのを更に抑制し、より大きな接地面積を確保して、偏摩耗を効率的に抑制することができる。
【００２７】
また、空気入りタイヤ１では、第１縦溝１１及び第２縦溝１２の深さは、横溝４の深さや周方向溝２の深さよりも浅くなっており、第１中間ブロック及び第２中間ブロックのタイヤ幅方向剛性を高めることができる。そして、特に、第１縦溝１１を横溝４よりも浅くしてタイヤ横方向の剛性を確保すると、第２中間ブロックが第１中間ブロックに引っ張られやすくなるが、第１中間ブロックと第２中間ブロックとが上述の所定の位置（第１中間ブロック２１のタイヤ周方向一方側Ａの端部から、第２中間ブロック２２のタイヤ周方向一方側Ａの端部までのタイヤ周方向に沿う距離Ｄ１が、第１中間ブロックのタイヤ周方向長さＤ２の１／２以下となる位置）に位置することによって、このような引っ張りを抑制することができる。
【００２８】
更には、ブロックのタイヤ幅方向の寸法が、第１中間ブロック２１、第２中間ブロック２２、外側ブロック２３の順で大きくなっているので、タイヤのショルダー部側にタイヤ幅方向に幅広のブロックが設けられ、横剛性を向上させることができる。また、横方向からの入力によるブロックのめくれを防止することができるため、旋回時の接地面積を確保して、旋回性能を更に向上させることができる。また、ブロックのタイヤ周方向の寸法は、第１中間ブロック２１、第２中間ブロック２２、外側ブロック２３の順に小さくなっているので、制動時に入力が高くなる幅方向外側ブロックが路面に追従することができ、接地面積を確保することができる。
【００２９】
そして、溝のタイヤ幅方向の寸法が、第１縦溝１１、第２縦溝１２の順で大きくなっているので、特にタイヤ幅方向外側部分の接地圧が大きくなる旋回時に、タイヤ幅方向に位置するブロックを適度に倒れこませてエッジによる路面の引っ掻き効果を得ることができ、旋回性能を更に向上させることができる。
【００３０】
また、第２縦溝１２、第１縦溝１１、周方向溝２の溝の深さが、第２縦溝１２、第１縦溝１１、周方向溝２の順で深くなっているため、制動時に入力が高いショルダー部での剛性を確保することができる。そして、第１及び第２縦溝１１，１２の深さが周方向溝２よりも浅いことで、周方向溝２から横溝４を経てタイヤショルダー側へと流れる水の流れを妨害することがなく、排水性の低下を防ぐことができる。
【００３１】
以上、図面を参照して本発明の空気入りタイヤの一例を説明したが、本発明の空気入りタイヤは上記一例に限定されることはなく、本発明の空気入りタイヤには、適宜変更を加えることができる。
【実施例】
【００３２】
以下、本発明の実施例について説明するが、本発明はこれだけに限定されるものではない。
実施例タイヤおよび従来例タイヤを試作し、ＦＥＭ計算により氷上性能を評価した。
まず、図１に示すＤ２／Ｄ１値が、１／２であるトレッドを具えた実施例１タイヤ、１／６であるトレッドを具えた実施例２タイヤ、及び２／３であるトレッドを具えた従来例タイヤを用意した。続いて、ＦＥＭ計算により、実施例タイヤおよび従来例タイヤについて、仮想路面での接地面積を測定した。結果は、従来例を１００として以下の表１に指数表示した。表１では、数値が大きいほど性能が優れていることを示す。
【００３３】
【表１】
2014113875.tif 000003
【符号の説明】
【００３４】
１…空気入りタイヤ、２…周方向溝、４Ｒ，４Ｌ…横溝、１１，１１’…第１縦溝、１２，１２’…第２縦溝、１１ａ，１１ａ’，１１ｂ，１１ｂ’…第１縦溝の開口、１２ａ，１２ａ’，１２ｂ，１２ｂ’…第２縦溝の開口、２１…第１中間ブロック、２２…第２中間ブロック、２３…外側ブロック、Ａ…タイヤ周方向一方側、Ｂ…タイヤ周方向他方側、ＣＬ…中央陸部列、１Ｌ…第１中間陸部列、２Ｌ…第２中間陸部列、ＥＬ…外側陸部列、Ｓ…サイプ、Ｃ…タイヤ赤道、ＴＥ…トレッド端
【図１】
2014113875.tif 000004
【図２】
2014113875.tif 000005